(57)【特許請求の範囲】
【請求項１】
アウターケーシングにインナーケーブルを摺動自由に挿入した構造を有するコントロールケーブルであって、
前記インナーケーブルに取り付けられた被係止部と、
前記インナーケーブルが前記アウターケーシング内を移動する際に前記被係止部を案内可能な案内部と、
前記インナーケーブルが前記アウターケーシング内を特定の方向へ移動する際に前記被係止部を係止可能な係止部と、
前記インナーケーブルが前記特定方向へ移動したのちに前記反対方向へ移動する度に、前記被係止部、前記案内部および前記係止部の位置関係を変化させることで、前記被係止部が元の位置まで移動する前に前記被係止部を前記係止部に係止させて前記反対方向へは移動不可能とする移動不可能状態と前記被係止部を前記案内部に案内させて前記被係止部を元の位置まで移動可能とする移動可能状態とを切り替える切り替え手段と、
を備えることを特徴とするコントロールケーブル。
【請求項２】
請求項１に記載のコントロールケーブルにおいて、
前記アウターケーシングの両端には、ケーシングキャップがそれぞれ取り付けられており、
前記被係止部、前記案内部、前記係止部および前記切り替え手段は、前記ケーシングキャップの何れかの内部に収納されていること
を特徴とするコントロールケーブル。
【請求項３】
請求項１に記載のコントロールケーブルにおいて、
前記アウターケーシングの両端には、ケーシングキャップがそれぞれ取り付けられており、
前記被係止部、前記案内部、前記係止部および前記切り替え手段は、前記ケーシングキャップの内部以外に配置されていること
を特徴とするコントロールケーブル。
【請求項４】
請求項１〜請求項３の何れかに記載のコントロールケーブルにおいて、
前記インナーケーブルがその内部に挿入された回転体を備え、
前記被係止部は前記回転体に取り付けられており、
前記切り替え手段は、
前記インナーケーブルが前記特定方向へ移動する際に前記回転体を所定角度回転させ、前記インナーケーブルが前記反対方向へ移動する際に前記回転体を所定角度回転させる回転補助手段を備え、
前記インナーケーブルが前記特定方向へ移動したのちに前記反対方向へ移動する度に、前記回転補助手段が前記付勢手段と協働して前記回転体を所定方向へ回転させることによって前記被係止部、前記案内部および前記係止部の位置関係を変化させることで、前記移動不可能状態と前記移動可能状態とを切り替えること
を特徴とするコントロールケーブル。
【請求項５】
請求項４に記載のコントロールケーブルにおいて、
前記回転体には傾斜部が形成されており、
前記切り替え手段の前記回転補助手段には、前記回転体の前記傾斜部に対向する傾斜部が形成されていること
を特徴とするコントロールケーブル。
【請求項６】
請求項１〜請求項５の何れかに記載のコントロールケーブルにおいて、
前記インナーケーブルを特定の方向とは反対の方向へ付勢する付勢手段を備え、
前記切り替え手段は、前記インナーケーブルが前記特定方向へ移動したのちに前記付勢手段による付勢力によって前記反対方向へ移動する度に、前記被係止部、前記案内部および前記係止部の位置関係を変化させることで、前記移動不可能状態と前記移動可能状態とを切り替えること
を特徴とするコントロールケーブル。
【発明の詳細な説明】
【技術分野】
【０００１】
本発明は、インナーケーブルを所定の位置にて保持するための保持機構を外部に設けることなくインナーケーブルを所定の位置にて保持可能なコントロールケーブルに関する。
【背景技術】
【０００２】
従来より、アウターケーシングにインナーケーブルを摺動自由に挿入した構造を有するコントロールケーブルが知られている（例えば、特許文献１参照。）。
【特許文献１】特開平０９−１１２５３２号公報（第２頁、図１）
【発明の開示】
【発明が解決しようとする課題】
【０００３】
しかし、上述のコントロールケーブルにおいては、上述のようにアウターケーシング内をインナーケーブルが摺動自由に挿入されているため、そのインナーケーブルを所定の位置にて保持するためには、そのための機構をコントロールケーブルの外部に設ける必要があった。
【０００４】
本発明は、このような不具合に鑑みなされたものであり、その目的とするところは、インナーケーブルを所定の位置にて保持するための保持機構を外部に設けることなく、インナーケーブルを所定の位置にて保持可能なコントロールケーブルを提供することにある。
【課題を解決するための手段】
【０００５】
上記課題を解決するためになされた請求項１に係るコントロールケーブルは、アウターケーシング（１２：この欄においては、発明に対する理解を容易にするため、必要に応じて「発明を実施するための最良の形態」欄で用いた符号を付すが、この符号によって請求の範囲を限定することを意味するものではない。）にインナーケーブル（１４）を摺動自由に挿入した構造を有するコントロールケーブル（１０）であって、前記インナーケーブルに取り付けられた被係止部（２２ａ）と、前記インナーケーブルが前記アウターケーシング内を移動する際に前記被係止部を案内可能な案内部（１６ｂ）と、前記インナーケーブルが前記アウターケーシング内を特定の方向へ移動する際に前記被係止部を係止可能な係止部（１６ｃ，１６ｄ）と、前記インナーケーブルが前記特定方向へ移動したのちに前記反対方向へ移動する度に、前記被係止部、前記案内部および前記係止部の位置関係を変化させることで、前記被係止部が元の位置まで移動する前に前記被係止部を前記係止部に係止させて前記反対方向へは移動不可能とする移動不可能状態と前記被係止部を前記案内部に案内させて前記被係止部を元の位置まで移動可能とする移動可能状態とを切り替える切り替え手段（１６，２０）と、を備えることを特徴とする。
【０００６】
このように構成された本発明のコントロールケーブルによれば、インナーケーブルが特定方向へ移動したのちに反対方向へ移動する度に、被係止部、案内部および係止部の位置関係を変化させることで、移動不可能状態と移動可能状態とを切り替える。なお、移動不可能状態とは、被係止部が元の位置まで移動する前に被係止部を前記係止部に係止させて前記反対方向へは移動不可能とする状態を云い、移動可能状態とは、被係止部を案内部に案内させて被係止部を元の位置まで移動可能とする状態を云う。このことにより、インナーケーブルを所定の位置にて保持するための保持機構を外部に設けることなく、インナーケーブルを所定の位置にて保持可能とすることができる。
【０００７】
なお、上述の被係止部、案内部、係止部および切り替え手段が、インナーケーブルを所定の位置にて保持するための保持機構を構成することが考えられる。
この場合、上述の保持機構が、アウターケーシングの両端に取り付けられたケーシングキャップ（３６）の何れかに収納されることが考えられる（請求項２）。このように構成すれば、保持機構を外部に設けることなく、インナーケーブルを所定の位置にて保持可能とすることができる。
【０００８】
また、上述の保持機構がケーシングキャップの内部以外に配置されていることが考えられる（請求項３）。このように構成すれば、コントロールケーブルが収納されるスペースの形状に合わせて保持機構の位置を設定できる。また、様々な形状のスペースにコントロールケーブルを収納できる。
【０００９】
なお、上述の被係止部については、インナーケーブルがその内部に挿入された回転体に取り付けられていることが考えられる。具体的には、請求項４のように、上述の被係止部については、インナーケーブルがその内部に挿入された回転体（２２）に具備されており、上述の切り替え手段については、インナーケーブルが特定方向へ移動する際に回転体を所定角度回転させ、インナーケーブルが反対方向へ移動する際に回転体を所定角度回転させる回転補助手段（１６，２０）を備え、インナーケーブルが特定方向へ移動したのちに反対方向へ移動する度に、回転補助手段が前記付勢手段と協働して回転体を所定方向へ回転させることによって被係止部、案内部および係止部の位置関係を変化させることで、移動不可能状態と移動可能状態とを切り替えることが考えられる。
【００１０】
この場合、回転体には傾斜部（２２ｂ）が形成されており、切り替え手段の回転補助手段には、回転体の傾斜部に対向する傾斜部（２０ｂ）が形成されていることが考えられる（請求項５）。このように構成すれば、切り替え手段の回転補助手段が、付勢手段と協働して、回転体を常に所定方向へ回転させるよう補助することができる。
【００１１】
ところで、インナーケーブルを特定の方向とは反対の方向へ付勢する付勢手段を備えることが考えられる。具体的には、請求項６のように、インナーケーブルを特定の方向とは反対の方向へ付勢する付勢手段（２８）を備え、切り替え手段が、インナーケーブルが特定方向へ移動したのちに付勢手段による付勢力によって反対方向へ移動する度に、被係止部、案内部および係止部の位置関係を変化させることで、移動不可能状態と移動可能状態とを切り替えることが考えられる。このように構成すれば、特定方向へ移動したインナーケーブルに応じて、切り替え手段をインナーケーブルの張力の大小に依存しないで保持状態を安定化できると共に、その動きをスムーズに行うことができる。
【００１２】
なお、上述の保持機構に付勢手段を含めるように構成してもよい。この場合、上述の保持機構が、アウターケーシングの両端に取り付けられたケーシングキャップの何れかに収納されることが考えられる。このように構成すれば、保持機構を外部に設けることなく、インナーケーブルを所定の位置にて保持可能とすることができる。また、上述の保持機構がケーシングキャップの内部以外に配置されていることが考えられる。このように構成すれば、コントロールケーブルが収納されるスペースの形状に合わせて保持機構の位置を設定できる。また、様々な形状のスペースにコントロールケーブルを収納できる。
【発明を実施するための最良の形態】
【００１３】
以下に本発明の実施形態を図面とともに説明する。
［第一実施形態］
図１は、椅子１に取り付けられたリクライニング装置５の外観図である。
【００１４】
［椅子１およびリクライニング装置５の構成の説明］
図１に示すように、椅子１は、椅子本体２に背凭れ部４が支持され、背凭れ部４が、椅子本体２に対して、背凭れ面が略直立した着座位置から背凭れ面が後方へ傾斜する仰向け位置までの間で回動可能に構成されている。
【００１５】
また、椅子１は、背凭れ部４が傾斜した状態を保持するためのリクライニング装置５を備えている。このリクライニング装置５は、ガスダンパー６、ブラケット７、操作レバー８およびコントロールケーブル１０を備えている。
【００１６】
このうち、ガスダンパー６は、ガスダンパー本体６ａ、ガスダンパー本体６ａの内部をその一部が移動可能なロッド６ｂを備え、ロッド６ｂの先端６ｃが押圧されている場合には、ガスダンパー本体６ａの内部をロッド６ｂの一部が移動可能であり、ロッド６ｂの先端６ｃが押圧されていない場合には、ガスダンパー本体６ａの内部をロッド６ｂの一部が移動不可に構成されている（図２（ｂ）参照）。なお、ガスダンパー６の各部構成については、公知技術に従っているのでここでは詳細な説明は省略する。
【００１７】
また、ガスダンパー６は、ガスダンパー本体６ａの端部が背凭れ部４に取り付けられており、ロッド６ｂの先端６ｃがブラケット７を介してコントロールケーブル１０の一端に取り付けられている。なお、ブラケット７は、その一端が椅子本体２に支持されており、その支持された箇所を中心にして姿勢を変化することが可能である。
【００１８】
また、コントロールケーブル１０の他端には操作レバー８が取り付けられている。なお、操作レバー８は、そのほぼ中央部が椅子本体２に支持されており、その支持された箇所を中心にして姿勢を変化することが可能である。
【００１９】
このことによりリクライニング装置５は、操作レバー８を操作することで、コントロールケーブル１０を介してブラケット７の押圧板７３の姿勢を変化させてロッド６ｂの先端６ｃを押圧し、椅子１の背凭れ部４の傾斜具合を変化させることができるよう構成されている。
【００２０】
以下に、リクライニング装置５を構成するブラケット７およびコントロールケーブル１０について詳細に説明する。
［ブラケット７の構成の説明］
ブラケット７は、ブラケット本体７１、固定板７２、押圧板７３を備えている。
【００２１】
このうちブラケット本体７１は、中央部分７１ａおよびその両側の翼部分７１ｂ，７１ｃからなる断面がコの字形状の板材であり、その中央部分７１ａにはガスダンパー６のロッド６ｂが取り付けられている。また、中央部分７１ａには貫通穴７１ｄが形成されており、その貫通穴７１ｄにはロッド６ｂの先端６ｃが挿通されている。
【００２２】
また、中央部分７１ａには固定板７２が取り付けられている。この固定板７２は、板材で構成されており、ブラケット７の中央部分７１ａに取り付けられた箇所とは反対側の端部付近には貫通穴７２ａが形成されている。この固定板７２に形成された貫通穴７２ａには、コントロールケーブル１０の内側キャップ１６における前部１６ｅおよびインナーケーブル１４が挿通されており、２つのナット７４，７４によって固定板７２がコントロールケーブル１０の内側キャップ１６における前部１６ｅに取り付けられている。
【００２３】
また、ブラケット７の翼部分７１ｂ，７１ｃには貫通穴７１ｅ，７１ｆがそれぞれ形成されている。これら貫通穴７１ｅ，７１ｆを挿通させたピン７１ｇによって押圧板７３が揺動可能に取り付けられている。具体的には、板状の押圧板７３の一方の端部付近に貫通穴７３ａが形成されており、その押圧板７３の貫通穴７３ａとブラケット本体７１の翼部分７１ｂ，７１ｃに形成された貫通穴７１ｅ，７１ｆとが連通した状態でピン７１ｇを挿通させ、このピン７１ｇを中心にして押圧板７３が揺動可能となっている。
【００２４】
また、この押圧板７３は、断面がコの字状の板材であり、他方の端部付近に切り欠き７３ｂが形成されている。コントロールケーブル１０のインナーケーブル１４の一端に取り付けられたエンド１４ａを係止している。また、押圧板７３は、揺動する際に、ガスダンパー６のロッド６ｂの先端６ｃを押圧可能な位置に配置されている。
【００２５】
また、翼部分７１ｂ，７１ｃには貫通穴７１ｈ，７１ｉが形成されており、その貫通穴７１ｈ，７１ｉを挿通させたビス（図示省略）を椅子本体２に取り付けることで、ブラケット７が椅子本体２に取り付けられている。
【００２６】
［コントロールケーブル１０の構成の説明］
図２（ａ）はコントロールケーブル１０の外観を示す平面図である。また、図２（ｂ）はコントロールケーブル１０およびガスダンパー６の外観を示す正面図である。また、図３（ａ）はコントロールケーブル１０の保持機構の構成を示す説明図（１）であり、図３（ｂ）はコントロールケーブル１０の保持機構の構成を示す説明図（２）である。また、図４（ａ）はコントロールケーブル１０の保持機構の構成を示す説明図（３）であり、図４（ｂ）はコントロールケーブル１０の保持機構の構成を示す説明図（４）である。
【００２７】
なお、以降、このコントロールケーブル１０において、外側キャップ３０に対して内側キャップ１６が配されている側を「前部」とし、内側キャップ１６に対して外側キャップ３０が配されている側を「後部」とする。
【００２８】
図２に示すように、このコントロールケーブル１０は、アウターケーシング１２にインナーケーブル１４を摺動自由に挿入した構造を有している。具体的には、コントロールケーブル１０は、アウターケーシング１２、インナーケーブル１４、内側キャップ１６、ナット１８、非回転ストッパ２０、回転ストッパ２２、エンド２４、リング２６、付勢バネ２８、外側キャップ３０、を備えている。なお、上述の内側キャップ１６、ナット１８、非回転ストッパ２０、回転ストッパ２２、エンド２４、リング２６、付勢バネ２８および外側キャップ３０は、保持機構３２を構成する。
【００２９】
図３に示すように、インナーケーブル１４は、内側キャップ１６、ナット１８、非回転ストッパ２０、回転ストッパ２２、エンド２４、リング２６、付勢バネ２８、および外側キャップ３０のそれぞれに形成された挿通孔をその順に挿通している。
【００３０】
内側キャップ１６は円筒形状を有している。この内側キャップ１６の後部１６ａには、３つの案内溝１６ｂが形成されており、これら案内溝１６ｂには、非回転ストッパ２０の突起部２０ａおよび回転ストッパ２２の突起部２２ａを挿入することが可能である。また、内側キャップ１６の後部１６ａの後端面には、６つの傾斜部１６ｃが形成されている。このことより、案内溝１６ｂと案内溝１６ｂとの間には、２つの傾斜部１６ｃが形成されていることになる。また、傾斜部１６ｃと傾斜部１６ｃとの間には、壁部１６ｄが形成されている。さらに、内側キャップ１６の前部１６ｅには雄ネジ部１６ｆが形成されている。
【００３１】
なお、内側キャップ１６は非回転ストッパ２０と共に切り替え手段および回転補助手段に該当する。また、内側キャップ１６の案内溝１６ｂは案内部に該当する。また、内側キャップ１６の傾斜部１６ｃおよび壁部１６ｄは係止部に該当する。
【００３２】
エンド２４は、その後部２４ａの外径寸法が中央部２４ｂの外径寸法よりも大きく形成された円筒形状を有している。このエンド２４の内部にはインナーケーブル１４が挿通され、その後部２４ａをかしめることでインナーケーブル１４に固定されている。さらに、エンド２４の前部２４ｃには雄ネジ部２４ｄが形成されている。そして、エンド２４の中央部２４ｂには、回転ストッパ２２および非回転ストッパ２０が前部２４ｃ側からその順に挿通されており、その前部２４ｃにナット１８が取り付けられている。ここで、雄ネジ部２４ｄとナット１８とは固定されている。このことにより、非回転ストッパ２０および回転ストッパ２２は、エンド２４の中央部２４ｂを中心として回転可能となっている。なお、このようにエンド２４へ回転ストッパ２２、非回転ストッパ２０およびナット１８を取り付けた構成をストッパ機構３４と称する。
【００３３】
非回転ストッパ２０は、円環状に形成されており、その内部にインナーケーブル１４が挿通されている。また、非回転ストッパ２０の側面からは、円周を等分する位置に３つの突起部２０ａがその半径方向へ向けて突出している。さらに、非回転ストッパ２０の前端面には、円周を等分する位置に６つの傾斜部２０ｂが形成されている。
【００３４】
回転ストッパ２２は、円環状に形成されており、その内部にインナーケーブル１４が挿通されている。また、回転ストッパ２２の側面からは、円周を等分する位置に３つの突起部２２ａがその半径方向へ向けて突出している。さらに、回転ストッパ２２の前端面には、円周を等分する位置に６つの傾斜部２２ｂが形成されており、対向する非回転ストッパ２０の６つの傾斜部２０ｂと噛み合うことが可能である。なお、非回転ストッパ２０の傾斜部２０ｂと回転ストッパ２２の傾斜部２２ｂとが噛み合う場合には、非回転ストッパ２０の突起部２０ａと回転ストッパ２２の突起部２２ａとは一列にはならないように配置されている。なお、回転ストッパ２２は回転体に該当する。また、回転ストッパ２２の突起部２２ａは被係止部に該当する。
【００３５】
なお、上述のストッパ機構３４は、非回転ストッパ２０の３つの突起部２０ａが、内側キャップ１６の後部１６ａに形成された円周を等分する３つの案内溝１６ｂにそれぞれ挿入された状態で、内側キャップ１６の後部１６ａの内部に収納される（図３（ｂ）参照）。
【００３６】
外側キャップ３０は、その前部３０ａの内径寸法が後部３０ｂの内径寸法よりも大きく形成された円筒形状を有している。また、外側キャップ３０の前部３０ａにおける内部には、付勢バネ２８、リング２６およびストッパ機構３４が収納された内側キャップ１６の後部１６ａがこの順に収納され、外側キャップ３０の前部３０ａを内側キャップ１６とかしめることで、内側キャップ１６が外側キャップ３０から分離できなくなっている（図３（ｂ）参照）。なお、内側キャップ１６と外側キャップ３０とは、ケーシングキャップ３６を構成し、このケーシングキャップ３６は、コントロールケーブル１０における一方の端部付近に位置する。
【００３７】
付勢バネ２８は、外側キャップ３０の前部３０ａにおける内部にて、その後端部２８ａが外側キャップ３０の前部３０ａにおける内部に当接し、前端部２８ｂがリング２６に当接しており、リング２６を介して回転ストッパ２２を非回転ストッパ２０の方へ付勢する機能を有する（図３（ｂ）参照）。なお、付勢バネ２８は付勢手段に該当する。
【００３８】
リング２６は、円環状に形成されており、その内部にインナーケーブル１４が挿通されている。また、リング２６は、外側キャップ３０の前部３０ａにおける内部にて、付勢バネ２８の付勢力によって回転ストッパ２２の方へ付勢されている（図３（ｂ）参照）。このことにより、リング２６は、付勢バネ２８の先端部が内側キャップ１６の内部などに引っかかるのを防止する機能を有する。
【００３９】
［リクライニング装置５の動作の説明］
次に、リクライニング装置５の動作について、図１、図２および図４〜図６を参照して説明する。
【００４０】
まず、図２（ａ）に示すように、コントロールケーブル１０のインナーケーブル１４が前方に移動しており、ガスダンパー６のロッド６ｂの先端６ｃがブラケット７によって押圧されていない状態では、ガスダンパー６のロッド６ｂがガスダンパー本体６ａの内部を移動不可能な状態であり、したがって、椅子１の背凭れ部４の傾斜具合が保持されている（図１および図２参照）。なおこの場合、コントロールケーブル１０のストッパ機構３４については、インナーケーブル１４が前方に移動しているため、非回転ストッパ２０の３つの突起部２０ａが内側キャップ１６の後部１６ａに形成された３つの案内溝１６ｂにそれぞれ挿入され、且つ回転ストッパ２２の３つの突起部２２ａが内側キャップ１６の３つの案内溝１６ｂにそれぞれ挿入された状態にある（図４（ａ）および図５（ａ）参照）。さらに、非回転ストッパ２０の６つの傾斜部２０ｂと回転ストッパ２２の６つの傾斜部２２ｂとは噛み合っておらず、非回転ストッパ２０と回転ストッパ２２は離間している（図４（ａ）および図５（ａ）参照）。
【００４１】
操作レバー８を操作することでインナーケーブル１４を後方へ移動させると、ストッパ機構３４が後方に移動し、回転ストッパ２２の突起部２２ａが内側キャップ１６の案内溝１６ｂから外れる（図５（ｂ）参照）。すると、付勢バネ２８による付勢力によって回転ストッパ２２が非回転ストッパ２０の方へ押圧され、回転ストッパ２２の突起部２２ａが内側キャップ１６の傾斜部１６ｃに案内され、非回転ストッパ２０の６つの傾斜部２０ｂと回転ストッパ２２の６つの傾斜部２２ｂとが噛み合うまで回転ストッパ２２が回転する（図４（ｂ）および図５（ｃ）参照）。
【００４２】
続いて、操作レバー８の操作を解除すると、インナーケーブル１４の被操作側の反力により、エンド２４の後部２４ａが回転ストッパ２２に当接するまでインナーケーブル１４が前方へ移動する。この際に、非回転ストッパ２０がエンド２４における中央部２４ｂと前部２４ｃとの境界段差部２４ｅで当接してエンド２４とともに移動するため、非回転ストッパ２０と回転ストッパ２２との噛み合いが解消し、回転ストッパ２２は、その突起部２２ａが内側キャップ１６の壁部１６ｄに当接するまで、回転しながら後方へ移動する（図５（ｄ）参照）。回転ストッパ２２の突起部２２ａは、内側キャップ１６の傾斜部１６ｃおよび壁部１６ｄと噛み合って保持されており、以降、インナーケーブル１４は前方への移動が阻止される。この場合、インナーケーブル１４については、初期状態におけるインナーケーブル１４の位置よりも後方に位置している。このことにより、ブラケット７の押圧板７３がガスダンパー６のロッド６ｂの先端６ｃへ押圧しており、ガスダンパー６のロッド６ｂがガスダンパー本体６ａの内部を移動可能な状態となって椅子１の背凭れ部４の傾斜具合を変更可能となる（図１および図２参照）。
【００４３】
操作レバー８を操作することでインナーケーブル１４を後方へ再び移動させると、ストッパ機構３４が後方に移動し、回転ストッパ２２の突起部２２ａが内側キャップ１６の壁部１６ｄから外れる（図６（ａ）参照）。すると、付勢バネ２８による付勢力によって回転ストッパ２２が非回転ストッパ２０の方へ押圧され、回転ストッパ２２の突起部２２ａが内側キャップ１６の傾斜部１６ｃに案内され、非回転ストッパ２０の６つの傾斜部２０ｂと回転ストッパ２２の６つの傾斜部２２ｂとが噛み合うまで回転ストッパ２２が回転する（図４（ｂ）および図６（ｂ）参照）。
【００４４】
続いて、操作レバー８の操作を解除すると、インナーケーブル１４の被操作側の反力により、エンド２４の後部２４ａが回転ストッパ２２に当接するまでインナーケーブル１４が前方へ移動する。この際に、非回転ストッパ２０がエンド２４における中央部２４ｂと前部２４ｃとの境界段差部２４ｅで当接してエンド２４とともに移動するため、非回転ストッパ２０と回転ストッパ２２との噛み合いが解消する。すると、回転ストッパ２２の突起部２２ａが内側キャップ１６の案内溝１６ｂの後方に位置するまで回転ストッパ２２が回転する（図６（ｃ）参照）。続いて、付勢バネ２８による付勢力により、回転ストッパ２２の突起部２２ａが内側キャップ１６の案内溝１６ｂの内部に移動する（図４（ａ）および図５（ａ）参照）。この場合、インナーケーブル１４は当初の位置にある。つまり、ガスダンパー６のロッド６ｂの先端６ｃがブラケット７によって押圧されていない状態となり、ガスダンパー６のロッド６ｂがガスダンパー本体６ａの内部を移動不可能な状態である。したがって、椅子１の背凭れ部４の傾斜具合が保持される（図１および図２参照）。
【００４５】
［第一実施形態の効果］
（１）このように第一実施形態のリクライニング装置５によれば、インナーケーブル１４が後方方向へ移動したのちに付勢バネ２８による付勢力によって前方方向へ移動する度に、被係止部としての回転ストッパ２２の突起部２２ａ・傾斜部２２ｂ、案内部としての内側キャップ１６の案内溝１６ｂおよび係止部としての内側キャップ１６の傾斜部１６ｃ・非回転ストッパ２０の傾斜部２０ｂ、の位置関係を変化させることで、移動不可能状態と移動可能状態とを切り替える。なお、移動不可能状態とは、被係止部が元の位置まで移動する前に被係止部を係止部に係止させて前方方向へは移動不可能とする状態を云い、移動可能状態とは、被係止部を案内部に案内させて被係止部を元の位置まで移動可能とする状態を云う。このことにより、インナーケーブル１４を所定の位置にて保持するための保持機構３２を外部に設けることなく、インナーケーブル１４を所定の位置にて保持可能とすることができる。
【００４６】
（２）また、第一実施形態のリクライニング装置５によれば、回転ストッパ２２には傾斜部２２ｂが形成されており、非回転ストッパ２０には、回転ストッパ２２の傾斜部２２ｂに対向する傾斜部２０ｂが形成されている。このことにより、非回転ストッパ２０が、回転ストッパ２２を常に一方方向へ回転させるよう補助することができる。
【００４７】
（３）また、第一実施形態のリクライニング装置５によれば、回転ストッパ２２には傾斜部２２ｂが形成されており、非回転ストッパ２０には、回転ストッパ２２の傾斜部２２ｂに対向する傾斜部２０ｂが形成されている。また、内側キャップ１６には、回転ストッパ２２の突起部２２ａを係止可能な傾斜部１６ｃおよび壁部１６ｄが形成されている。このことにより、非回転ストッパ２０および内側キャップ１６が、付勢バネ２８と協働して、回転ストッパ２２を常に所定方向へ回転させるよう補助することができる。
【００４８】
（４）また、第一実施形態のリクライニング装置５によれば、上述のストッパ機構３４は、回転ストッパ２２を中心とした動作によって、移動可能状態と移動不可能状態を実現する。その際、繰り返される両状態の切り換えに対し、インナーケーブル１４には捻れが発生しない。このため、本機構はインナーケーブル１４の基本摺動性能に何ら影響を与えない。この点が本機構の大きな特徴である。
【００４９】
（５）また、第一実施形態のリクライニング装置５によれば、上述のストッパ機構３４はインナーケーブル１４に対して同軸上に構成されている。このことはコントロールケーブル１０の全体構造をコンパクトとするとともに、コントロールケーブル１０を使用可能な対象装置への取り付け性や配索の取り回し性を向上させる。
［第二実施形態］
上記第一実施形態では、コントロールケーブル１０において、回転ストッパ２２が３つの突起部２２ａおよび６つの傾斜部２２ｂを備えており、傾斜部２２ｂについては、非回転ストッパ２０の傾斜部２０ｂと噛み合うことで、回転ストッパ２２の回転を抑制する機能を有している。
【００５０】
これに対して第二実施形態では、図７（ａ）に例示するように、コントロールケーブル１１０において、回転ストッパ１２２の突起部１２２ａが、非回転ストッパ２０の傾斜部２０ｂと噛み合うことで、回転ストッパ２２の回転を抑制する機能を有している。つまり、回転ストッパ１２２の突起部１２２ａが、第一実施形態の回転ストッパ２２の傾斜部２２ｂの機能も担うよう構成されている。
【００５１】
具体的には、図７（ａ）に例示するように、円環状の回転ストッパ１２２の外径寸法を非回転ストッパ２０の外径寸法よりも小さく構成し、回転ストッパ１２２の側面からは、突起部１２２ａをその半径方向へ向けて突出している。この突起部１２２ａの長さ寸法については、非回転ストッパ２０および回転ストッパ１２２をエンド２４に挿通させた際に、非回転ストッパ２０の傾斜部２０ｂに対向するよう設定されている。
【００５２】
このようにすれば、第一実施形態の回転ストッパ２２に比べて、回転ストッパ１２２の外径寸法を小さくできる分その材料を少なくすることができる。したがって、機構部の外形寸法を小さくでき、コントロールケーブル１０を含めた全体構造を小型化することができる。
［第三実施形態］
また、図７（ｂ）に例示するように、コントロールケーブル１１０において、円環状のリング１２６が、第一実施形態の回転ストッパ２２の機能を担うようにしてもよい。具体的には、図７（ｂ）に例示するように、リング１２６が次のように構成されている。すなわち、リング１２６は、円環状に形成されている。また、リング１２６の側面からは３つの突起部１２６ａがその半径方向へ向けて突出している。さらに、リング１２６の前端面には、６つの傾斜部１２６ｂが形成されている。
【００５３】
このようにすれば、第一実施形態および第二実施形態に比べて、回転ストッパ２２が不要となる分部品点数を少なくすることができ、その構成を簡略化することができる。
［他の実施形態］
以上、本発明の一実施形態について説明したが、本発明は上記実施形態に限定されるものではなく、以下のような様々な態様にて実施することが可能である。
【００５４】
（１）上記第一実施形態では、コントロールケーブル１０をリクライニング装置５に適用した例を示したが、これには限られず、プルケーブルが利用されている装置であれば適用可能である。一例を挙げると、コントロールケーブル１０を、車両のパーキングブレーキケーブルに適用するといった具合である。
【００５５】
（２）上記第一実施形態のコントロールケーブル１０では、インナーケーブル１４を所定の位置で保持するための保持機構３２を、コントロールケーブル１０のアウターケーシング１２における一方の端部付近に位置するケーシングキャップ３６と一体に構成しているが、これには限られず、保持機構３２を、コントロールケーブル１０のアウターケーシング１２における他方の端部付近に位置するケーシングキャップ（図示省略）と一体に構成してもよい。また、保持機構３２を、ケーシングキャップ３６とは別体に形成してもよい。さらに、保持機構３２を、コントロールケーブル１０のアウターケーシング１２における端部付近以外の箇所に設置してもよい。
【００５６】
このように構成すれば、コントロールケーブル１０が収納されるスペースの形状に合わせて保持機構３２の位置を設定できる。また、様々な形状のスペースにコントロールケーブル１０を収納できる。
【００５７】
（３）上記第一実施形態のコントロールケーブル１０では、保持機構３２が、内側キャップ１６、ナット１８、非回転ストッパ２０、回転ストッパ２２、エンド２４、リング２６、付勢バネ２８および外側キャップ３０によって構成されているが、これには限られず、付勢バネ２８を除いた、内側キャップ１６、ナット１８、非回転ストッパ２０、回転ストッパ２２、エンド２４、リング２６、および外側キャップ３０によって構成されてもよい。具体的には、内側キャップ１６の内壁と回転ストッパ２２との位置関係を変更して移動可能状態と移動不可能状態とを連続的に切り換えるよう構成する。
【００５８】
このように構成しても上記実施形態と同様の作用効果を奏する。
【図面の簡単な説明】
【００５９】
【図１】椅子に取り付けられたリクライニング装置の外観図である。
【図２】（ａ）はコントロールケーブルの外観を示す平面図であり、（ｂ）はコントロールケーブルおよびガスダンパーの外観を示す正面図である。
【図３】（ａ）はコントロールケーブルの保持機構の構成を示す説明図（１）であり、（ｂ）はコントロールケーブルの保持機構の構成を示す説明図（２）である。
【図４】（ａ）はコントロールケーブルの保持機構の構成を示す説明図（３）であり、（ｂ）はコントロールケーブルの保持機構の構成を示す説明図（４）である。
【図５】（ａ）はリクライニング装置の動作を示す説明図（１）であり、（ｂ）はリクライニング装置の動作を示す説明図（２）であり、（ｃ）はリクライニング装置の動作を示す説明図（３）であり、（ｄ）はリクライニング装置の動作を示す説明図（４）である。
【図６】（ａ）はリクライニング装置の動作を示す説明図（５）であり、（ｂ）はリクライニング装置の動作を示す説明図（６）であり、（ｃ）はリクライニング装置の動作を示す説明図（７）である。
【図７】（ａ）は第二実施形態のコンロトールケーブルの構成を示す説明図であり、（ｂ）は第三実施形態のコンロトールケーブルの構成を示す説明図である。
【符号の説明】
【００６０】
１…椅子、２…椅子本体、４…背凭れ部、５…リクライニング装置、６…ガスダンパー、６ａ…ガスダンパー本体、６ｂ…ロッド、６ｃ…先端、７…ブラケット、８…操作レバー、１０，１１０…コントロールケーブル、１２…アウターケーシング、１４，…インナーケーブル、１４ａ…エンド、１６…内側キャップ、１６ａ…内側キャップの後部、１６ｂ…案内溝、１６ｃ…傾斜部、１６ｄ…壁部、１６ｅ…内側キャップの前部、１６ｆ…雄ネジ部、１８…ナット、２０…非回転ストッパ、２０ａ，２２ａ，１２２ａ…突起部、２０ｂ，２２ｂ…傾斜部、２２，１２２…回転ストッパ、２４…エンド、２４ａ…エンドの後部、２４ｂ…エンドの中央部、２４ｃ…エンドの前部、２４ｄ…雄ネジ部、２６，１２６…リング、２８…付勢バネ、２８ａ…前端部、２８ｂ…後端部、３０…外側キャップ、３０ａ…外側キャップの前部、３０ｂ…外側キャップの後部、３２…保持機構、３４…ストッパ機構、３６…ケーシングキャップ、７１…ブラケット本体、７１ａ…中央部分、７１ｂ，７１ｃ…翼部分、７１ｄ，７１ｅ，７１ｆ，７１ｈ，７１ｉ，７２ａ，７３ａ…貫通穴、７１ｇ…ピン、７２…固定板、７３…押圧板、７３ｂ…切り欠き、７４…ナット、１２６ａ…リングの突起部、１２６ｂ…リングの傾斜部
【図１】
0004777752.tif 000002
【図２】
0004777752.tif 000003
【図３】
0004777752.tif 000004
【図４】
0004777752.tif 000005
【図５】
0004777752.tif 000006
【図６】
0004777752.tif 000007
【図７】
0004777752.tif 000008